(57)【要約】【課題】張出している電子部品の存在によるユーザの違和感・不快感の除去及び張出している電子部品に外力が集中することを防ぐことができる携帯電子機器を提供する。【解決手段】本発明の携帯電話機１は、開口部３０と開口部３９の縁部に設けられ、キーシート１０を貼り付ける貼付部１７とを含むフロントケース４と、フロントケース４と内側面同士を対向させて配置されるリアケース５とを有し、フロントケース４とリアケース５からなる内部空間に配設され、キーシート１０を照光する発光部品１４及び当該発光部品１４の輝度を調節する電子部品１６が実装されたプリント基板１８と、を有し、少なくとも電子部品１６は、開口部３０の周縁に沿うように配設されている。【選択図】図５
2010220120.tif 000002
【特許請求の範囲】
【請求項１】
開口部と前記開口部の縁部に設けられ、キーシートを貼り付ける貼付部とを含む第１のケースと、
前記第１のケースと内側面同士を対向させて配置される第２のケースと、
前記第１のケースと前記第２のケースからなる内部空間に配設され、
前記キーシートを照光する発光部品及び当該発光部品の輝度を調節する電子部品が実装されたプリント基板と、を有し、
少なくとも前記電子部品は、前記開口部の周縁に沿うように配設された
携帯電子機器。
【請求項２】
前記プリント基板に実装された前記電子部品は直方体形状の抵抗部品であり、当該直方体の長辺方向が前記開口部の周縁に沿うように配置された
請求項１に記載の携帯電子機器。
【請求項３】
前記プリント基板は、フレキシブルプリント基板であって、
前記フレキシブルプリント基板は、前記内部空間に配設された支持部材により、支持されるように配設された
請求項１又は２に記載の携帯電子機器。
【請求項４】
前記支持部材はシールドケース又はリジッドプリント基板である
請求項３に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
現在、携帯電子機器は、ＬＥＤ（Light Emitting Diode:発光ダイオード）を配置して、このＬＥＤによってキー入力部を照光している。
特許文献１には、キーシート下面にＬＥＤ及びこのＬＥＤへ提供される電圧・電流を調整するための抵抗部品等の電子部材が実装されている携帯電子機器が記載されている。
【先行技術文献】
【特許文献】
【０００３】
【特許文献１】特開平１１―７３８３７号公報
【発明の概要】
【発明が解決しようとする課題】
【０００４】
しかしながら、実装される電子部品のうち抵抗部品は特に厚みを必要としており、キーシートの直下に配置するとキーシートをユーザが操作する場合に、それが張出部として認識されてしまうおそれがある。そして、ユーザが張出部を認識してしまうと違和感、不快感の原因ともなる。
さらに、張出部を有しているということは、外部から力が加わるとその張出部に力が集中することを意味している。そうすると、張出している部材である抵抗部品が外力によって破損する恐れが生ずる。そして、抵抗部品が破損すると携帯電子機器の故障の原因ともなる。
【０００５】
本発明の目的は、張出している電子部品の存在によるユーザの違和感・不快感の除去及び張出している電子部品に外力が集中することを防ぐことができる携帯電子機器を提供することである。
【課題を解決するための手段】
【０００６】
本発明の携帯電子機器は、開口部と前記開口部の縁部に設けられ、キーシートを貼り付ける貼付部とを含む第１のケースと、前記第１のケースと内側面同士を対向させて配置される第２のケースと、前記第１のケースと前記第２のケースからなる内部空間に配設され、前記キーシートを照光する発光部品及び当該発光部品の輝度を調節する電子部品が実装されたプリント基板と、を有し、少なくとも前記電子部品は、前記開口部の周縁に沿うように配設されている。
【０００７】
好適には、前記プリント基板に実装された前記電子部品は直方体形状の抵抗部品であり、当該直方体の長辺方向が前記開口部の周縁に沿うように配置されている。
【０００８】
好適には、前記プリント基板は、フレキシブルプリント基板であって、前記フレキシブルプリント基板は、前記内部空間に配設された支持部材により、支持されるように配設されている。
【０００９】
好適には、前記支持部材はシールドケース又はリジッドプリント基板である。
【発明の効果】
【００１０】
本発明によると、張出している電子部品の存在によるユーザの違和感・不快感の除去及び張出している電子部品に外力が集中することを防ぐことができる携帯電子機器を提供することができる。
【図面の簡単な説明】
【００１１】
【図１】本発明の実施形態に係る携帯電話機の正面図である。
【図２】入力部を構成する部材であるキーシートの正面図である。
【図３】図１からキーシートを除去した後の携帯電話機の正面図である。
【図４】絶縁シールの背面図である。
【図５】図１におけるＶ―Ｖの断面図である。
【発明を実施するための形態】
【００１２】
図１は、本発明の実施形態に係る携帯電話機１の正面図である。
【００１３】
携帯電話機１は、１つの筐体上に表示部８と入力部９が配置されている。前記筐体は表示部８及び入力部９が配置される側のフロントケース４と、反対側の不図示のリアケース５から構成されている。
【００１４】
フロントケース４及びリアケース５はネジ等により互いに固定され、フロントケース４及びリアケース５の間に形成された空間に種々の電子部材を収容する収容空間を構成する。
これらのフロントケース４及びリアケース５は、例えば、樹脂により形成されている。
【００１５】
なお、方向を示すときは、リアケース５からフロントケース４に向かう方向を「表面方向」といい、フロントケース４からリアケース５に向かう方向を「裏面方向」という。
【００１６】
表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００１７】
入力部９は、入力キーの機能に応じた図形１１（図２で図示）が印刷されている。そしてユーザはその図形１１に応じて必要な入力キーを押圧することによって携帯電話機１に入力、命令等を行う。
【００１８】
なお、携帯電話機１はユーザが常に持ち運ぶ機器であることから、小型化・薄型化が求められている。
その中でも、図１のように１つの筐体部材から構成される携帯電話機１は、２つの筐体部材から構成され折畳みが可能な携帯電話機１よりもより小型化・薄型化が求められる。
なぜなら、１つの筐体部材からなる携帯電話機１を嗜好するユーザは携帯電話機１の多機能性よりも携帯の小型化・薄型化を求める場合が多いからである。
【００１９】
図２は、入力部９を構成する部材であるキーシート１０の正面図である。
【００２０】
キーシート１０は一個のシート状の部材から成っている。そして、キーシートの表面には、入力キーの機能に応じた図形、文字、記号等（以下、これらをまとめた概念として「図形１１」という。）が各々印刷されている。
その図形１１には、大きく印刷された主図形１２と小さく印刷された副図形１３とがある。一般に、主図形１２はそのキーの主となる機能を表示しており、副図形１３はそのキーの副次的な機能を表示している。
【００２１】
また、キーシート１０の表面は、主図形１２の形状に他の部分の表面と比して突起している。これによって、ユーザは視覚によって図形１１を認識するのみならず、触覚によってもボタンの位置等を認識することができる。
【００２２】
キーシート１０は、透明なシートの表面に不透明部材又は半透明部材によって印刷されており、キーシート１０が覆っている各種キー部材の内部構造がユーザに見えないようにしてある。
もっとも、必ずしもキーシート１０の全面に不透明部材又は半透明部材が印刷されている必要性はなく、その一部には不透明部材又は半透明部材によって印刷されていない部分が存在してもよい。
このように不透明部材又は半透明部材によって印刷しない部分から後述する発光部品１４の光を放射させることによって、図形１１を明瞭化することができる。さらに、入力部９を様々に照光させることによって、携帯電話機１の意匠性を向上させることができる。
【００２３】
キーシート１０は、弾性あるプラスチック部材から構成されている。
この弾性によって、ユーザがキーシート１０の特定のキーを押圧したときに、その力をキーシート１０内にあるキー機能を発揮する部材である後述のメタルドーム１５に伝えることが可能となる。
キーシート１０は、必ずしもプラスチック材料によって構成する必要はなく、ユーザによる押し圧を後述するスイッチ２７に伝達可能な程度に撓みを生ずるものであればどのようなものであってもよい。例えば、シリコン等によって構成することができる。
【００２４】
また、キーシート１０は、一つのシート部材の表面に図形１１を印刷し、主図形１２を突起させているが、必ずしもこのような形態である必然性はない。
主図形１２部分だけを突起させている必然性はなく、副図形１３部分をも突起させていてもよい。さらに、それ以上の範囲を突起させてもよい。
さらにまた、キーシート１０は一つの部材から構成されている必然性はなく、ユーザが押圧する部分として撓みを生じない部材から構成されるキートップを各キー入力部位置に配置してもよい。この場合には、各キートップが接着等によって固定されるキーシート１０も必要となる。このような場合には、キーシート１０とは、キーシート１０とキートップから構成されることになる。
【００２５】
加えて、本発明の実施形態においては、キーシート１０は各入力キー全てに対して１つであったが、分割されていてもよい。例えば、図形１１の「１」〜「３」までの３つの入力キー毎にキーシート１０が配置されていてもよい。さらには、一つの入力キー毎にキーシート１０が配置されていてもよい。
【００２６】
図３は、図１からキーシート１０を除去した後の携帯電話機１の正面図である。
【００２７】
キーシート１０の内部には、図３のようにフレキシブルプリント基板１８が配置されている。このフレキシブルプリント基板１８上には、発光部品１４、抵抗部品１６、図示しない固定接点２０等の電子部品が配置されている。
抵抗部材１６は図３のように、フレキシブルプリント基板１８の外周部分、後述する開口部３０の周縁３１付近に沿うように配置されている。
フレキシブルプリント基板１８とは、弾性ある薄いプラスチックのシート上に各種回路パターンを印刷し、そのシート上に各種の電子部品を配置したものである。
フレキシブルプリント基板１８は、薄いシート形状をしているため、回路基板を薄くすることが可能となる。そして、回路基板が薄くなるということは、携帯電話機１をより薄く作製することを可能とする。
【００２８】
フレキシブルプリント基板１８の表面方向には絶縁シール１９が配置される。絶縁シール１９の裏面方向にシールを行うための粘着部材が配置されており、これによって、絶縁シール１９とフレキシブルプリント基板１８とが結合される。
また、絶縁シール１９は、図３のように、図形１１に対応する位置の裏面方向位置にメタルドーム１５がそれぞれ配置されており、ユーザからのキー入力を検知可能としている。
このメタルドーム１５は絶縁シール１９の粘着部材によって、絶縁シール１９と結合している。
そして、絶縁シール１９が絶縁シール１９の粘着部材によってフレキシブルプリント基板１８に結合すると、その結合力によってメタルドーム１５もフレキシブルプリント基板１８と結合する。
【００２９】
さらに、絶縁シール１９の表面方向に押子部２１が配置されている。押子部２１は円筒状の形状を有している。この押子部２１があることによって、ユーザによるキーの押圧が確実にメタルドーム１５に伝達されてメタルドーム１５を凹ますことができる。
【００３０】
各メタルドーム１５の間位置には発光部品１４が配置されている。
また、絶縁シール１９の発光部品位置には発光部品用穴部２２が空けられている。この発光部品用穴部２２によって、発光部品１４の光を絶縁シール１９が遮光することがないようにしてある。
発光部品１４とは、例えばＬＥＤが挙げられるが、ＬＥＤに限定する趣旨ではなく発光する電子機器であればどのようなものであってもよい。また、ＬＥＤの個数はその必要性に応じて適宜変更可能である。
発光部品１４は、例えば、直方体形状を有しており、厚さ（高さ）０．２ｍｍ、横幅１．６ｍｍ、奥行き０．８ｍｍを有している。
【００３１】
フレキシブルプリント基板１８のさらに周囲方向には、キーシート１０を張り付けるための貼付部１７が配置される。貼付部１７はフレキシブルプリント基板１８の表面方向の面よりも表面方向に張り出している（後述する、図５参照のこと）
【００３２】
フレキシブルプリント基板１８に絶縁シール１９が張り付けられる外側部分であるフレキシブルプリント基板外周部２３には、抵抗部品１６が配置される。
抵抗部品は、例えば、直方体形状を有しており、厚さ（高さ）０．４ｍｍ、横幅１．０ｍｍ、奥行き０．５ｍｍ程度を有している。
抵抗部品１６は発光部品１４に提供する電圧・電流を調節するために用いられている。
【００３３】
なぜ、抵抗部品１６をこの位置に配置するのかを説明する。
抵抗部品１６は０．４ｍｍ程度の高さを有しており、薄いシート状のフレキシブルプリント基板１８よりはかなりの厚さを有している。さらに、抵抗部品１６は発光部品１４より外力により破損し易い部材である。
それゆえ、この抵抗部品１６を図形１１がある部分又はその近傍に配置している場合には、ユーザによる押圧その他の外力が携帯電話機１のキーシート１０部分に加わると、抵抗部品１６に直接力が加わってしまい、抵抗部品１６が破損するおそれがある。
かかる事態は、携帯電話機１の機能を害してしまう。
【００３４】
そこで、表面方向に張り出している（図５参照のこと）貼付部１７の近傍となるフレキシブルプリント基板外周部２３に抵抗部品１６を配置すれば、抵抗部品１６に外力が加わるような場合であっても、張り出した貼付部１７に阻まれて抵抗部品１６に外力が加わらない。
このような効果によって、抵抗部品１６を保護することができる。
さらに、厚さ（高さ）のある抵抗部品１６をユーザの手が触れる機会の多いキーシート１０の中央付近ではなく、ユーザの手が触れる機会が少ない外周部分に配置したことによって、ユーザが凸凹を感じて操作に違和感を生じるということもない。
【００３５】
なお、発光部品１４も抵抗部品１６のように貼付部１７の近傍に配置するのが外力からの保護の点からは好ましい。しかし、本発明の実施形態においては、発光部品１４は貼付部１７の近傍ではない絶縁シール１９の張り付けられた部分内に配置されている。
この理由を以下説明する。
発光部品１４は図形１１部分に光を提供する部材であることから、図形１１部分から遠く離すとその機能を発揮できなくなってしまう。それゆえ、発光部品１４は絶縁シール１９の張り付けられた部分内に配置する必要がある。
図形１１から離す方法としては、キーシート１０とメタルドーム１５の間に導光シートを挟み込む方法も考えられる。しかし、導光シートを用いるとその導光シートの分だけ携帯電話機１が厚くなってしまい、薄さを求められる携帯電話機１においては適当ではない。
また、外力の集中は他の部分より突出した部分に起こりやすい。そうすると、発光部品１４の厚さは０．２ｍｍ程度であり抵抗部品１６の０．４ｍｍに比べて厚さ（高さ）が薄いのであるから、発光部品１４には抵抗部品１６に比べると外力の集中が生じにくい。
それゆえ、発光部品１４を絶縁シール１９の張り付けられた部分内、つまり外力が作用しやすい部分に配置しても発光部品１４が破損するというおそれが少なく、発光部品１４を絶縁シール１９の張り付けられた部分内に配置することができる。
抵抗部品１６の厚さが０．４ｍｍ程度であるので、抵抗部品１６からキーシート１０までの距離は０．２４ｍｍ程度である。
さらにまた、発光部品１４は抵抗部品部材１６よりも強度を強く作成することができることから、万が一外力が集中しても破損するというおそれが低い。それゆえ、発光部品１４を絶縁シール１９の張り付けられた部分内に配置することができる。
【００３６】
なお、上記の記述は、発光部品１４を抵抗部品１６のように貼付部１７の近傍に配置することを排除する趣旨ではなく、導光シート等を導入して発光部品１４を抵抗部品１６のように貼付部１７の近傍に配置することも可能である。
【００３７】
図４は、絶縁シール１９の背面図である。
【００３８】
図４は図３の絶縁シール１９を反転させた図である。図４のように、絶縁シール１９にはキーの数だけメタルドーム１５が配置されている。また、メタルドーム１５の間部分には発光部品用穴部２２が６個空けられている。
また、図４で見えている面側に粘着部材が塗布されている。
【００３９】
図５は、図１におけるＶ―Ｖの断面図である。
【００４０】
図５のようにリアケース５とフロントケース４の内部には支持部材２４が配置されている。
また、支持部材２４は後述するフレキシブルプリント基板１８と共に、フロントケース４とリアケース５の螺着によって圧力を持って挟み込まれている。
これによって支持部材２４はフロントケース４及びリアケース５に対して相対的に移動することは出来なくなっている。
支持部材２４は剛性の強い材料によって形成されており、ユーザがキーを押圧してもほとんど撓まない。
フロントケース４は、内部にフレキシブルプリント基板１８等を収容するための、収容空間として開口部３０を有している。
この開口部３０は、フロントケース４の表面方向の面から裏面方向に向かって抜け穴上に形成されている。
開口部３０は、図５のように、外周方向に周縁３１を有している。
周縁３１と連続して貼付部１７は、配置されている。
この貼付部１７に両面テープ３２一面を張り付けて、この両面テープ３２の反対側面をキーシート１０に張り付ける。これによって、キーシート１０をフロントケース４に固定する。
【００４１】
支持部材２４の表面方向にはフレキシブルプリント基板１８が配置されている。このフレキシブルプリント基板１８も支持部材２４と共に、フロントケース４と支持部材２４によって挟み込まれており位置決め固定されている。
【００４２】
フレキシブルプリント基板１８上には複数の抵抗部品１６及び発光部品１４が実装されている。さらに、フレキシブルプリント基板１８上にはキー入力部の数と同数の固定接点２０が実装されている。
【００４３】
フレキシブルプリント基板１８によって構成することによって、携帯電話機１をより薄く構成することができる。
また、フレキシブルプリント基板１８によって構成していることによって、本発明の有利性が高まる。
本発明の有利性が高まる理由を説明する。
フレキシブルプリント基板１８は薄くかつ弾性のあるシート状であることから、抵抗部品１６等の電子部品を実装すると、その部品だけがシート状の部分から比べると極端に張り出すことになってしまう。
そして、極端に張り出した部分に外力が作用する場合には、その部分に集中的に作用してしまう。さらに、ユーザが触れた時に張出部として認識されてしまい不快感・違和感の原因になってしまうからである。
【００４４】
フレキシブルプリント基板１８の表面方向には、絶縁シール１９が配置されている。そして、絶縁シール１９とフレキシブルプリント基板１８は絶縁シール１９の粘着部材によって接合している。
【００４５】
フレキシブルプリント基板１８の表面方向には、絶縁シール１９が配置されており、フレキシブルプリント基板１８の表面の一部を覆っている。
絶縁シール１９はキー部材（メタルドーム１５、固定接点２０、押子部２１、キーシート１０及び図形１１）のあるフレキシブルプリント基板１８の中央付近に配置されているのであるから、キー部材のないフレキシブルプリント基板外周部２３は覆っていない。
このフレキシブルプリント基板外周部２３に抵抗部品１６は配置される。
このことは、抵抗部品１６は開口部３０の周縁３１の近傍に沿うように配置されていることをも意味する。
【００４６】
絶縁シール１９は、その裏面方向においてメタルドーム１５と、絶縁シール１９の粘着部材によって接合している。また、絶縁シール１９は、表面方向に押子部２１を有する。
押子部２１は円筒形状を有しており、表面方向に突起している。
押子部２１及びメタルドーム１５はキー入力部に対応した位置に配置されている。
このように押子部２１があることによって、ユーザによる押圧が確実にスイッチ２７に伝達される。
また、ユーザによってキーシート１０が押圧された時に、押子部２１があることによって、キーシート１０自体の撓み量が少なくてもスイッチ２７が押圧されることになる。
このことによって、ユーザの操作感が向上する。
さらに、キーシート１０の撓み量が少なくてもよいということは、キーシート１０に大きな圧力が加わらないことを意味するのであるから、キーシート１０の耐久性が向上する。
【００４７】
絶縁シール１９のさらに、表面方向にはキーシート１０が配置されている。そして、キー入力位置を示す突起している主図形１２も、押子部２１、メタルドーム１５及び固定接点２０に対応した位置に配置されている。
【００４８】
キーシート１０は、貼付部１７によってフロントケース４と接合する。貼付部１７との接合は両面テープ３２によってなされる。
【００４９】
支持部材２４の裏面方向にはバッテリ２５が配置されている。
そして、さらに裏面方向にはバッテリ２５を出し入れするためのバッテリカバー２６が配置されている。
【００５０】
図５のように、貼付部１７は表面方向位置にあるのに対して、抵抗部品１６が配置されているフレキシブルプリント基板１８は貼付部１７よりも裏面方向位置に位置している。
フレキシブルプリント基板１８の表面方向の表面からこの貼付部１７の面までの、表面方向の距離は０．５４ｍｍ程度である。
そして、抵抗部品１６の厚さよりも貼付部１７とフレキシブルプリント基板１８との距離の方を長く構成している。つまり、抵抗部品１６の表面方向における位置と、貼付部１７の表面方向における位置とでは、貼付部１７の方が表面側に位置している。
さらに、抵抗部品１６は絶縁シール１９のないフレキシブルプリント基板外周部２３にあるのであるから、貼付部１７の近傍に配置されていることになる。
具体的には、開口部３０の周縁３１から抵抗部品１６の距離は０．８５ｍｍ程度である。
抵抗部品１６は以上のような配置をしているのであるから、抵抗部品１６に外力が集中して破損してしまうことを防ぐことができる。
【００５１】
固定接点２０とメタルドーム１５によってスイッチ２７が構成されている。メタルドーム１５は、キーシート１０を介して押圧されると弾性変形していき、一定のところでドームの一部が凹む。これによって、メタルドーム１５はクリック感を生じつつ固定接点２０に当接する。
メタルドーム１５と固定接点２０が当接することによって電流が流れ、この電流の流れを図示しない制御基板が検出する。そして、このことによって、ユーザによるキーの押しこみ、つまり、ユーザのキー入力を検出する。
【００５２】
以上の実施形態によれば、本発明の携帯電話機１は、開口部３０と開口部３９の縁部に設けられ、キーシート１０を貼り付ける貼付部１７とを含むフロントケース４と、フロントケース４と内側面同士を対向させて配置されるリアケース５とを有している。
また、フロントケース４とリアケース５からなる内部空間に配設され、キーシート１０を照光する発光部品１４及び当該発光部品１４の輝度を調節する電子部品１６が実装されたプリント基板１８と、を有している。
そして、少なくとも電子部品１６は、開口部３０の周縁に沿うように配設されている。
このような構成によって、張出している電子部品の存在によるユーザの違和感・不快感の除去及び張出している抵抗部品１６等の電子部品に外力が集中することを防ぐことができる。
また、このような構成によって、抵抗部品１６等外力に弱い電子部品を貼付部１７によって守らせつつ、キー入力部分を発光部品１４によって照光することができる。
【００５３】
プリント基板１８に実装された電子部品１６は直方体形状の抵抗部品であり、当該直方体の長辺方向が前記開口部の周縁に沿うように配置されている。
このような構成によって、抵抗部品１６をより周縁に配置することができ、抵抗部品１６を保護することができる。
【００５４】
プリント基板１８は、フレキシブルプリント基板１８であって、フレキシブルプリント基板１８は、内部空間に配設された支持部材２４により、支持されるように配設されている。
このような構成によって、フレキシブルプリント基板１８を正確に位置決めすることができ、フレキシブルプリント基板１８が撓んでしまうことを防ぐことができる。
【００５５】
支持部材２４はシールドケース又はリジッドプリント基板である。
このような構成によって、フレキシブルプリント基板１８を正確に位置決めすることができ、フレキシブルプリント基板１８が撓んでしまうことを防ぐことができる。
【００５６】
なお、以上の実施形態において、抵抗部品１６は本発明の電子部品の一例である。つまり、抵抗部品１６はあくまでも例示であり、外力によって破損する恐れのある電子部品であればどのようなものにも応用が可能である。
【００５７】
また、以上の実施形態において、フロントケース４は第１のケースの一例であり、リアケース５は第２のケースの一例である。
【００５８】
本発明は、以上の実施形態に限定されず、種々の態様で実施されてよい。
【００５９】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。
【符号の説明】
【００６０】
１…携帯電話機、４…フロントケース（第１のケース）、５…リアケース（第２のケース）、８…表示部、９…入力部、１０…キーシート、１１…図形、１２…主図形、１３…副図形、１４…発光部品（ＬＥＤ）、１５…メタルドーム、１６…抵抗部品（電子部品）、１７…貼付部、１８…フレキシブルプリント基板（プリント基板）、１９…絶縁シール（タクティールシート）、２０…固定接点、２１…押子部、２２…発光部品用穴部、２３…フレキシブルプリント基板外周部（基板外周部）、２４…支持部材（シールドケース又はリジッドプリント基板）、２５…バッテリ、２６…バッテリカバー、２７…スイッチ、３０…開口部、３１…周縁、３２…両面テープ
【図１】
2010220120.tif 000003
【図２】
2010220120.tif 000004
【図３】
2010220120.tif 000005
【図４】
2010220120.tif 000006
【図５】
2010220120.tif 000007